(57)【要約】【課題】撮像素子の過熱を防止したデジタルカメラを簡単な構造で実現する。【解決手段】デジタルカメラ１１の筐体１２は、前方カバー１３と後方カバー１４とから構成される。前方カバー１３の前面にはレンズ鏡筒１６が差し込まれる開口部が形成され、開口部の内側にはレンズ鏡筒１６を保持する保持板２３が取り付けられている。保持板２３の前面には、透明材料２４で覆われたＣＣＤイメージセンサ２５が、高熱伝導性のシート２６を介して固定されている。保持板２３の後方には、ＣＰＵ２９が組み込まれた回路基板２８が設けられている。保持板２３の背面には発泡剤などからなる断熱板３０が取り付けられ、ＣＣＤイメージセンサ２５とＣＰＵ２９とは断熱されている。ＣＰＵ２９が発する熱は、後方カバー１４を伝って、或いは筐体１２内の空気から後方カバー１４を伝ってデジタルカメラ１１の後方へ放出され、ＣＣＤイメージセンサ２５に伝わることが抑えられる。【選択図】図２
2008244938.tif 000002
【特許請求の範囲】
【請求項１】
撮影レンズを透過して入射する被写体光を電気信号に変換する撮像素子と、前記撮像素子の後方に設けられ、前記撮像素子を駆動する駆動回路を含む回路基板とを備えたデジタルカメラにおいて、
前記撮像素子と前記回路基板との間に設けられ、前記撮像素子又は前記回路基板との間に空間を形成し、前記撮像素子を前記回路基板から断熱する断熱部材を備えたことを特徴とするデジタルカメラ。
【請求項２】
撮影レンズが組み込まれたレンズ鏡筒と、前記レンズ鏡筒が差し込まれる開口部が形成された筐体と、前記開口部の内側に設けられ、前記レンズ鏡筒を保持する鏡筒保持手段と、前記鏡筒保持手段の前面に固定された撮像素子と、前記撮像素子の後方に設けられ、前記撮像素子を駆動する駆動回路を含む回路基板とを備えたデジタルカメラにおいて、
前記鏡筒保持手段と前記回路基板との間に設けられ、前記鏡筒保持手段又は前記回路基板との間に空間を形成し、前記撮像素子を前記回路基板から断熱する断熱部材を備えたことを特徴とするデジタルカメラ。
【発明の詳細な説明】
【技術分野】
【０００１】
本発明は、撮像素子の過熱を防止する構造を有したデジタルカメラに関する。
【背景技術】
【０００２】
近年、ＣＣＤイメージセンサなどの撮像素子で撮像した画像をデジタルデータとしてメモリカードなどの電子記憶媒体に記憶するデジタルカメラが普及している。この種のデジタルカメラは、撮像素子の他、撮像素子を駆動する駆動回路（ＣＰＵ）、画像確認用の液晶表示モニタ（ＬＣＤ）ユニット、電池などを備えている。これら構成部品は画像の撮像に際して発熱し、筐体内の温度は上昇する。高温になることで、デジタルカメラは正常に動作できなくなる。特に撮像素子は、熱ノイズを発生するので、劣化した画像が得られることになる。
【０００３】
このため、デジタルカメラは、撮像素子の温度上昇を抑える構造を採用している。例えば、撮像素子を断熱部材で囲われた閉空間に収容したり（例えば、特許文献１参照）、回路基板を断熱部材として利用したりすることで（例えば、特許文献２，３参照）、撮像素子が発する熱の放出経路を構成し、効率良く放熱して撮像素子の過熱を防止したものがある。
【０００４】
また、ＣＰＵの発熱によって撮像素子が過熱することを防止するために、熱伝導率の低い接着剤などを用いてＣＰＵを回路基板に固定し、ＣＰＵから撮像素子への熱伝導を抑えたものがある（例えば、特許文献４参照）。
【特許文献１】特開２００５−１１７２５８号公報
【特許文献２】特開２００６−１５７２５４号公報
【特許文献３】特開２００６−２２２７７６号公報
【特許文献４】特開平１０−１７８５７１号公報
【発明の開示】
【発明が解決しようとする課題】
【０００５】
しかしながら、特許文献１〜３記載の構造はペルチェ素子などの冷却手段を備えたデジタルカメラに適用範囲が限定され、特許文献４記載の構造は機器内部に接着剤が充填された内視鏡カメラなどに適用範囲が限定される。また、何れの構造も複雑であり、製造コストや工数に問題がある。
【０００６】
本発明は、上記課題を解決するためのものであり、撮像素子の過熱を防止したデジタルカメラを簡単な構造で実現することを目的とする。
【課題を解決するための手段】
【０００７】
上記目的を達成するために、本発明のデジタルカメラは、撮影レンズを透過して入射する被写体光を電気信号に変換する撮像素子と、撮像素子の後方に設けられ、撮像素子を駆動する駆動回路を含む回路基板とを備えたデジタルカメラであって、撮像素子と回路基板との間に設けられ、撮像素子又は回路基板との間に空間を形成し、撮像素子を回路基板から断熱する断熱部材を備えたことを特徴とする。
【０００８】
また、本発明のデジタルカメラは、撮影レンズが組み込まれたレンズ鏡筒と、レンズ鏡筒が差し込まれる開口部が形成された筐体と、開口部の内側に設けられ、レンズ鏡筒を保持する鏡筒保持手段と、鏡筒保持手段の前面に固定された撮像素子と、撮像素子の後方に設けられ、撮像素子を駆動する駆動回路を含む回路基板とを備えたデジタルカメラであって、鏡筒保持手段と回路基板との間に設けられ、鏡筒保持手段又は回路基板との間に空間を形成し、撮像素子を回路基板から断熱する断熱部材を備えたことを特徴とする。
【発明の効果】
【０００９】
本発明のデジタルカメラによれば、撮像素子と回路基板との間に設けられ、撮像素子又は回路基板との間に空間を形成し、撮像素子を回路基板から断熱する断熱部材を備えているので、簡単な構造でありながら回路基板から撮像素子への熱伝達が抑えられ、撮像素子の過熱を防止することができる。
【発明を実施するための最良の形態】
【００１０】
以下、本発明のデジタルカメラ１１について、図面を参照しながら説明する。図１に示すように、デジタルカメラ１１の筐体１２は、前方カバー１３と後方カバー１４とから構成される。前方カバー１３の前面には、撮影レンズ１５を保持したレンズ鏡筒１６が組み込まれている。
【００１１】
筐体１２の上面には、デジタルカメラ１１の電源状態を切り替える電源スイッチ１７、シャッタレリーズ操作に用いられるシャッタボタン１８、各種モードを切り替える機能モードダイヤル１９、及びポップアップ式のストロボ装置２０などが設けられている。
【００１２】
また、後方カバー１４の後面には、電子ビューファインダを構成するファインダ接眼窓２１（図２参照）、各種画像などを表示する液晶表示ディスプレー（ＬＣＤ）２２（図２参照）、及びズーミングを行うズーム操作部（図示せず）などが設けられている。
【００１３】
デジタルカメラ１１にて撮影が行われる場合、先ず、電源スイッチ１７が操作され、デジタルカメラ１１の電源状態がオンにされる。そして、ズーム操作部が利用されズーミングが行われる。これにより、焦点距離が可変される。シャッタボタン１８が半押しされると、周知のオートフォーカス装置が作動して被写体距離を測定し、その測定信号に応じてピント合わせが行われる。そして、シャッタボタン１８が全押しされると、撮影が行われる。
【００１４】
図２に示すように、前方カバー１３の前面には、レンズ鏡筒１６が差し込まれる開口部が形成されている。この開口部の内側には、レンズ鏡筒１６を保持するための保持板（鏡筒保持手段）２３が取り付けられている。レンズ鏡筒１６の後端には係止爪１６ａが形成され、保持板２３には係止爪１６ａと係合する貫通孔が形成されている。この貫通孔に係止爪１６ａが係合することで、レンズ鏡筒１６は、保持板２３に保持され前方カバー１３に組み付けられる。
【００１５】
保持板２３の前面には、透明材料２４で塞がれたＣＣＤイメージセンサ（撮像素子）２５が、高熱伝導性のシート２６を介して固定されている。ＣＣＤイメージセンサ２５は、撮影レンズ１５を透過して入射する被写体光を撮像する。ＣＣＤイメージセンサ２５は撮像するに際し発熱するが、その熱は、シート２６から保持板２３と前方カバー１３とを伝って、或いはレンズ鏡筒１６内の空気からレンズ鏡筒１６を伝ってデジタルカメラ１１の前方へ放出される。なお、保持板２３、前方カバー１３、及びレンズ鏡筒１６を高熱伝導性の素材で構成することにより、放熱効果を高めることができる。
【００１６】
ＣＣＤイメージセンサ２５が固定された保持板２３の後方には、ＣＣＤイメージセンサ２５と配線２７で電気接続された回路基板２８が設けられている。回路基板２８には、各部を統括的に制御するＣＰＵ（駆動回路）２９が組み込まれている。ＣＰＵ２９は、デジタルカメラ１１の電源状態がオンにされてＣＣＤイメージセンサ２５を駆動することなどで発熱する。
【００１７】
保持板２３の背面には、発泡剤などからなる断熱板（断熱部材）３０が取り付けられ、ＣＣＤイメージセンサ２５とＣＰＵ２９とは断熱されている。この断熱板３０により、ＣＰＵ２９の発する熱が保持板２３を介してＣＣＤイメージセンサ２５に伝わることが抑えられ、ＣＣＤイメージセンサ２５が過熱することが防止されている。また、回路基板２８と断熱板３０との間に生じる空間により、ＣＰＵ２９の発する熱のＣＣＤイメージセンサ２５への伝達がさらに抑えられている。なお、保持板２３及び断熱板３０には配線２７を通す配線孔が形成されているが、断熱性樹脂３１により塞がれている。また、ＣＰＵ２９が発する熱は、後方カバー１４を伝って、或いは筐体１２内の空気から後方カバー１４を伝ってデジタルカメラ１１の後方へ放出される。
【００１８】
なお、上記実施形態において、断熱板３０は保持板２３の背面に取り付けられ、断熱板３０の後方に回路基板２８との隙間を生じさせる場合を例に説明したが、これに限定するのではなく、断熱板３０を回路基板２８の前面に取り付け、断熱板３０の前方に保持板２３との隙間を生じさせるのでも良い。また、断熱板３０の前後両方に隙間を生じさせても、前後両方に隙間を生じさせなくても良い。
【００１９】
また、上記実施形態において、レンズ鏡筒１６が筐体１２に組み付けられている場合を例に説明したが、これに限定されるのではなく、レンズ鏡筒が着脱自在に取り付けられていても良い。
【００２０】
また、上記実施形態において、断熱板３０は、ＣＰＵ２９の発する熱を遮断することを目的とした場合を例に説明したが、保持板２３の後方に設けられたＬＣＤ２２や電池（図示せず）などの発する熱を遮断することも目的としている。
【図面の簡単な説明】
【００２１】
【図１】デジタルカメラの外観斜視図である。
【図２】デジタルカメラの部分断面図である。
【符号の説明】
【００２２】
１１  デジタルカメラ
１２  筐体
１３  前方カバー
１４  後方カバー
１５  撮影レンズ
１６  鏡筒
１７  電源スイッチ
１８  シャッタボタン
１９  機能モードダイヤル
２０  ストロボ装置
２１  ファインダ接眼窓
２２  液晶表示ディスプレー（ＬＣＤ）
２３  保持板（鏡筒保持手段）
２４  透明材料
２５  ＣＣＤイメージセンサ（撮像素子）
２６  シート
２７  配線
２８  回路基板
２９  ＣＰＵ（駆動回路）
３０  断熱板（断熱部材）
３１  断熱性樹脂
【図１】
2008244938.tif 000003
【図２】
2008244938.tif 000004